【手続補正書】
【提出日】令和1年5月28日(2019.5.28)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信の方法であって、
前記ＵＥの位置を決定することと、
リソースのセットのうちの第１のサブセット中で情報をブロードキャストすること、前記情報は、測位のためのシーケンスがブロードキャストされる前記リソースのセットのうちの第２のサブセットに関連付けられたリソース識別子（ＩＤ）と、前記測位のためのシーケンスのシーケンスＩＤと、前記ＵＥの前記位置とを備える、と、
前記リソースのセットのうちの前記第２のサブセットの少なくとも１つのシンボル中でシーケンスをブロードキャストすること、前記少なくとも１つのシンボルは、前記リソースＩＤによって識別され、前記測位のためのシーケンスは、前記シーケンスＩＤによって識別される、と
を備える、方法。
【請求項２】
前記シーケンスは、Ｚａｄｏｆｆ  Ｃｈｕシーケンスであり、前記シーケンスＩＤは、前記Ｚａｄｏｆｆ  Ｃｈｕシーケンスに関連付けられたサイクリックシフトおよびルートインデックスを備える、
請求項１に記載の方法。
【請求項３】
前記リソースのセットのうちの前記第１のサブセットと、前記リソースのセットのうちの前記第２のサブセットと、前記リソースのセットのうちの第３のサブセットとを示す、基地局からのメッセージを受信することをさらに備える、
請求項１に記載の方法。
【請求項４】
前記リソースのセットのうちの前記第１のサブセット中で前記情報をブロードキャストするための少なくとも１つのリソースを決定することをさらに備える、
請求項１に記載の方法。
【請求項５】
前記シーケンスをブロードキャストするための前記リソースのセットのうちの前記第２のサブセットの前記少なくとも１つのシンボルを決定することをさらに備える、
請求項１に記載の方法。
【請求項６】
前記シーケンスを送信するための前記リソースのセットのうちの前記第２のサブセットの前記少なくとも１つのシンボルを示す、基地局からのメッセージを受信することをさらに備え、前記少なくとも１つのシンボルの前記決定は、前記受信したメッセージに基づく、
請求項５に記載の方法。
【請求項７】
ワイヤレス通信のための装置であって、前記装置は、ユーザ機器（ＵＥ）であり、
前記ＵＥの位置を決定するための手段と、
リソースのセットのうちの第１のサブセット中で情報をブロードキャストするための手段、前記情報は、測位のためのシーケンスがブロードキャストされる前記リソースのセットのうちの第２のサブセットに関連付けられたリソース識別子（ＩＤ）と、前記測位のためのシーケンスのシーケンスＩＤと、前記ＵＥの前記位置とを備える、と、
前記リソースのセットのうちの前記第２のサブセットの少なくとも１つのシンボル中でシーケンスをブロードキャストするための手段、前記少なくとも１つのシンボルは、前記リソースＩＤによって識別され、前記測位のためのシーケンスは、前記シーケンスＩＤによって識別される、と
を備える、装置。
【請求項８】
ユーザ機器（ＵＥ）によるワイヤレス通信の方法であって、
複数のＵＥからリソースのセットのうちの第１のサブセット中で情報の第１のセットを受信すること、前記情報の第１のセットは、前記複数のＵＥにおける各ＵＥのための、前記各ＵＥのための位置と、測位のためのシーケンスのシーケンス識別子（ＩＤ）と、リソースＩＤとを備える、と、
前記複数のＵＥから前記リソースのセットのうちの第２のサブセットのシンボル中でシーケンスのセットを受信すること、前記シーケンスのセットにおける各シーケンスは、それぞれのシーケンスＩＤに関連付けられ、前記シンボルのうちの少なくとも１つのシンボル上で受信され、前記少なくとも１つのシンボルは、それぞれリソースＩＤによって識別される、と、
前記受信されたシーケンスのセットに関連付けられたタイミング情報を決定することと、
前記リソースのセットのうちの第３のサブセット中で情報の第２のセットをブロードキャストすること、前記情報の第２のセットは、別のＵＥでの測位決定を可能にする、前記複数のＵＥの識別子と、前記ＵＥに関連付けられた位置と、前記決定されたタイミング情報とを備える、と
を備える、方法。
【請求項９】
前記リソースのセットのうちの前記第１、第２、および第３のサブセットを示す、基地局からのメッセージを受信することをさらに備える、
請求項８に記載の方法。
【請求項１０】
前記リソースのセットのうちの前記第３のサブセット中で前記情報の第２のセットをブロードキャストするための少なくとも１つのリソースを決定することをさらに備える、
請求項８に記載の方法。
【請求項１１】
前記決定は、ランダム選択またはエネルギーベース検出に基づく、
請求項１０に記載の方法。
【請求項１２】
前記情報の第２のセットをブロードキャストするための前記少なくとも１つのリソースを示す、基地局からのメッセージを受信することをさらに備え、前記少なくとも１つのリソースの前記決定は、前記受信したメッセージに基づく、
請求項１０に記載の方法。
【請求項１３】
ワイヤレス通信のための装置であって、前記装置は、ユーザ機器（ＵＥ）であり、
複数のＵＥからリソースのセットのうちの第１のサブセット中で情報の第１のセットを受信するための手段、前記情報の第１のセットは、前記複数のＵＥにおける各ＵＥのための、前記各ＵＥのための位置と、測位のためのシーケンスのシーケンス識別子（ＩＤ）と、リソースＩＤとを備える、と、
前記複数のＵＥから前記リソースのセットのうちの第２のサブセットのシンボル中でシーケンスのセットを受信するための手段、前記シーケンスのセットにおける各シーケンスは、それぞれのシーケンスＩＤに関連付けられ、前記シンボルのうちの少なくとも１つのシンボル上で受信され、前記少なくとも１つのシンボルは、それぞれリソースＩＤによって識別される、と、
前記受信されたシーケンスのセットに関連付けられたタイミング情報を決定するための手段と、
前記リソースのセットのうちの第３のサブセット中で情報の第２のセットをブロードキャストするための手段、前記情報の第２のセットは、別のＵＥでの測位決定を可能にする、前記複数のＵＥの識別子と、前記ＵＥに関連付けられた位置と、前記決定されたタイミング情報とを備える、と
を行うように構成される、装置。
【請求項１４】
ユーザ機器（ＵＥ）によるワイヤレス通信の方法であって、
第１の複数のＵＥからリソースのセットの第１のサブセット中で情報の第１のセットを受信すること、前記情報の第１のセットは、前記第１の複数のＵＥの各ＵＥに関連付けられた識別子を含み、前記第１の複数のＵＥ中の前記各ＵＥのための、前記各ＵＥのための位置と、測位のためのシーケンスのシーケンス識別子（ＩＤ）と、リソースＩＤとを備える、と、
前記複数のＵＥから前記リソースのセットのうちの第２のサブセットのシンボル中でシーケンスのセットを受信すること、ここにおいて、前記シーケンスのセットにおける各シーケンスは、前記それぞれのシーケンスＩＤに関連付けられ、前記シンボルのうちの少なくとも１つのシンボル上で受信され、前記少なくとも１つのシンボルは、前記それぞれのリソースＩＤによって識別される、と、
第２の複数のＵＥから前記リソースのセットのうちの第３のサブセット中で情報の第２のセットを受信すること、前記情報の第２のセットは、前記第２の複数のＵＥによって決定された前記第１の複数のＵＥのタイミング情報と、前記第２の複数のＵＥ中の各ＵＥの位置と、前記第１の複数のＵＥの識別子とを備える、と、
前記受信した情報の第１のセットと、前記受信したシーケンスの第１のセットと、前記受信した情報の第２のセットとに基づいて、前記ＵＥの位置を決定することと
を備える、方法。
【請求項１５】
ワイヤレス通信の装置であって、前記装置は、ユーザ機器（ＵＥ）であり、
第１の複数のＵＥからリソースのセットの第１のサブセット中で情報の第１のセットを受信するための手段、前記情報の第１のセットは、前記第１の複数のＵＥの各ＵＥに関連付けられた識別子を含み、前記第１の複数のＵＥ中の前記各ＵＥのための、前記各ＵＥのための位置と、測位のためのシーケンスのシーケンス識別子（ＩＤ）と、リソースＩＤとを備える、と、
前記複数のＵＥから前記リソースのセットのうちの第２のサブセットのシンボル中でシーケンスのセットを受信するための手段、ここにおいて、前記シーケンスのセットにおける各シーケンスは、前記それぞれのシーケンスＩＤに関連付けられ、前記シンボルのうちの少なくとも１つのシンボル上で受信され、前記少なくとも１つのシンボルは、前記それぞれのリソースＩＤによって識別される、と、
第２の複数のＵＥから前記リソースのセットのうちの第３のサブセット中で情報の第２のセットを受信するための手段、前記情報の第２のセットは、前記第２の複数のＵＥによって決定された前記第１の複数のＵＥのタイミング情報と、前記第２の複数のＵＥ中の各ＵＥの位置と、前記第１の複数のＵＥの識別子とを備える、と、
前記受信した情報の第１のセットと、前記受信したシーケンスの第１のセットと、前記受信した情報の第２のセットとに基づいて、前記ＵＥの位置を決定するための手段と
を備える、装置。
【手続補正２】
【補正対象書類名】明細書
【補正対象項目名】０１４４
【補正方法】変更
【補正の内容】
【０１４４】
[00121]先の説明は、当業者が本明細書で説明されている様々な態様を実現することを可能にするために提供されている。これらの態様に対する様々な修正は、当業者にとって容易に明らかとなり、本明細書で定義される包括的な原理は他の態様に適用され得る。したがって、請求項は、本明細書で図示されている態様に限定されるようには意図されていないが、請求項の記載と一致した最大範囲を付与されることとし、ここにおいて、単数の要素への言及は、そのように特に述べられない限り、「１つおよび１つのみ」を意味するのではなく、むしろ「１つまたは複数」を意味するように意図されている。「実例的」という言葉は、「例、事例、または例示としての役目をする」を意味するように本明細書では使用されている。「実例的」として本明細書で説明されているいずれの態様も、必ずしも、他の態様よりも好まれる、または有利であると解釈されることとしない。違った形で特に述べられない限り、「何らかの／いくつかの／いくらかの（some）」という用語は、１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはこれらの任意の組み合わせ」のような組み合わせは、Ａ、Ｂ、および／またはＣの任意の組み合わせを含み、複数のＡ、複数のＢ、または、複数のＣを含みうる。特に、「Ａ、Ｂ、またはＣのうちの少なくとも１つ」、「Ａ、Ｂ、およびＣのうちの少なくとも１つ」、および「Ａ、Ｂ、Ｃ、またはこれらの任意の組み合わせ」のような組み合わせは、Ａのみ、Ｂのみ、Ｃのみ、ＡとＢ、ＡとＣ、ＢとＣ、またはＡとＢとＣであることができ、ここで、このような任意の組み合わせが、Ａ、Ｂ、またはＣのメンバーあるいは１つまたは複数のメンバーを含みうる。当業者に既知である、あるいは後に知られることになる、本開示全体にわたって説明された様々な態様のエレメントに対する全ての構造的および機能的な同等物は、参照によって本明細書に明確に組み込まれ、特許請求の範囲によって包含されるよう意図されている。さらに、本明細書で開示されたものが、特許請求の範囲に明示的に記載されているかどうかにかかわらず、そのような開示は公に寄与されることを意図したものではない。どの請求項の要素も、該要素が「〜のための手段」という表現を使用して明確に記載されていない限り、ミーンズプラスファンクションとして解釈されないこととする。
以下に、本願出願の当初の特許請求の範囲に記載された発明を付記する。
［Ｃ１］
ユーザ機器（ＵＥ）によるワイヤレス通信の方法であって、
前記ＵＥの位置を決定することと、
リソースのセットのうちの第１のサブセット中で情報をブロードキャストすること、前記情報は、前記リソースのセットのうちの第２のサブセットに関連付けられたリソース識別子（ＩＤ）と、シーケンスＩＤと、前記ＵＥの前記位置とを備える、と、
前記リソースのセットのうちの前記第２のサブセットの少なくとも１つのシンボル中でシーケンスをブロードキャストすること、前記少なくとも１つのシンボルは、前記リソースＩＤによって識別され、前記シーケンスは、前記シーケンスＩＤによって識別される、と
を備える、方法。
［Ｃ２］
前記シーケンスは、Ｚａｄｏｆｆ  Ｃｈｕシーケンスであり、前記シーケンスＩＤは、前記Ｚａｄｏｆｆ  Ｃｈｕシーケンスに関連付けられたサイクリックシフトおよびルートインデックスを備える、
［Ｃ１］に記載の方法。
［Ｃ３］
前記シーケンスは、前記少なくとも１つのシンボルの全帯域幅を占める、
［Ｃ１］に記載の方法。
［Ｃ４］
前記リソースのセットのうちの前記第１のサブセットと、前記リソースのセットのうちの前記第２のサブセットと、前記リソースのセットのうちの第３のサブセットとを示す、基地局からのメッセージを受信することをさらに備える、
［Ｃ１］に記載の方法。
［Ｃ５］
前記リソースのセットのうちの前記第１のサブセット中で前記情報をブロードキャストするための少なくとも１つのリソースを決定することをさらに備える、
［Ｃ１］に記載の方法。
［Ｃ６］
前記シーケンスをブロードキャストするための前記リソースのセットのうちの前記第２のサブセットの前記少なくとも１つのシンボルを決定することをさらに備える、
［Ｃ１］に記載の方法。
［Ｃ７］
前記決定は、ランダム選択またはエネルギーベース検出に基づく、
［Ｃ６］に記載の方法。
［Ｃ８］
前記シーケンスを送信するための前記リソースのセットのうちの前記第２のサブセットの前記少なくとも１つのシンボルを示す、基地局からのメッセージを受信することをさらに備え、前記少なくとも１つのシンボルの前記決定は、前記受信したメッセージに基づく、
［Ｃ６］に記載の方法。
［Ｃ９］
ワイヤレス通信のための装置であって、前記装置は、ユーザ機器（ＵＥ）であり、
メモリと、
前記メモリに結合される少なくとも１つのプロセッサと
を備え、前記少なくとも１つのプロセッサは、
前記ＵＥの位置を決定することと、
リソースのセットのうちの第１のサブセット中で情報をブロードキャストすること、前記情報は、前記リソースのセットのうちの第２のサブセットに関連付けられたリソース識別子（ＩＤ）と、シーケンスＩＤと、前記ＵＥの前記位置とを備える、と、
前記リソースのセットのうちの前記第２のサブセットの少なくとも１つのシンボル中でシーケンスをブロードキャストすること、前記少なくとも１つのシンボルは、前記リソースＩＤによって識別され、前記シーケンスは、前記シーケンスＩＤによって識別される、と
を行うように構成される、装置。
［Ｃ１０］
前記シーケンスは、Ｚａｄｏｆｆ  Ｃｈｕシーケンスであり、前記シーケンスＩＤは、前記Ｚａｄｏｆｆ  Ｃｈｕシーケンスに関連付けられたサイクリックシフトおよびルートインデックスを備える、
［Ｃ９］に記載の装置。
［Ｃ１１］
前記シーケンスは、前記少なくとも１つのシンボルの全帯域幅を占める、
［Ｃ９］に記載の装置。
［Ｃ１２］
前記少なくとも１つのプロセッサは、前記リソースのセットのうちの前記第１のサブセットと、前記リソースのセットのうちの前記第２のサブセットと、前記リソースのセットのうちの第３のサブセットとを示す、基地局からのメッセージを受信することを行うようにさらに構成される、
［Ｃ９］に記載の装置。
［Ｃ１３］
前記少なくとも１つのプロセッサは、前記リソースのセットのうちの前記第１のサブセット中で前記情報をブロードキャストするための少なくとも１つのリソース決定することを行うようにさらに構成される、
［Ｃ９］に記載の装置。
［Ｃ１４］
前記少なくとも１つのプロセッサは、前記シーケンスをブロードキャストするための前記リソースのセットのうちの前記第２のサブセットの前記少なくとも１つのシンボルを決定することをさらに備える、
［Ｃ９］に記載の装置。
［Ｃ１５］
前記決定は、ランダム選択またはエネルギーベース検出に基づく、
［Ｃ１４］に記載の装置。
［Ｃ１６］
前記少なくとも１つのプロセッサは、前記シーケンスを送信するための前記リソースのセットのうちの前記第２のサブセットの前記少なくとも１つのシンボルを示す、基地局からのメッセージを受信することをさらに備え、前記少なくとも１つのシンボルの前記決定は、前記受信したメッセージに基づく、
［Ｃ１４］に記載の装置。
［Ｃ１７］
ユーザ機器（ＵＥ）によるワイヤレス通信の方法であって、
複数のＵＥからリソースのセットのうちの第１のサブセット中で情報の第１のセットを受信すること、前記情報の第１のセットは、前記複数のＵＥにおける各ＵＥのための、前記各ＵＥのための位置と、シーケンス識別子（ＩＤ）と、リソースＩＤとを備える、と、
前記複数のＵＥから前記リソースのセットのうちの第２のサブセットのシンボル中でシーケンスのセットを受信すること、前記シーケンスのセットにおける各シーケンスは、それぞれのシーケンスＩＤに関連付けられ、前記シンボルのうちの少なくとも１つのシンボル上で受信され、前記少なくとも１つのシンボルは、それぞれリソースＩＤによって識別される、と、
前記受信されたシーケンスのセットに関連付けられたタイミング情報を決定することと、
前記リソースのセットのうちの第３のサブセット中で情報の第２のセットをブロードキャストすること、前記情報の第２のセットは、前記決定されたタイミング情報と、前記ＵＥに関連付けられた位置と、前記複数のＵＥの識別子とを備える、と
を備える、方法。
［Ｃ１８］
前記シーケンスは、Ｚａｄｏｆｆ  Ｃｈｕシーケンスであり、それぞれのシーケンスＩＤは、Ｚａｄｏｆｆ  Ｃｈｕシーケンスに関連付けられたサイクリックシフトおよびルートインデックスを備える、
［Ｃ１７］に記載の方法。
［Ｃ１９］
前記シーケンスの各シーケンスは、前記少なくとも１つのシンボルの全帯域幅を占める、
［Ｃ１７］に記載の方法。
［Ｃ２０］
前記リソースのセットのうちの前記第１、第２、および第３のサブセットを示す、基地局からのメッセージを受信することをさらに備える、
［Ｃ１７］に記載の方法。
［Ｃ２１］
前記リソースのセットのうちの前記第３のサブセット中で前記情報の第２のセットをブロードキャストするための少なくとも１つのリソースを決定することをさらに備える、
［Ｃ１７］に記載の方法。
［Ｃ２２］
前記決定は、ランダム選択またはエネルギーベース検出に基づく、
［Ｃ２１］に記載の方法。
［Ｃ２３］
前記情報の第２のセットをブロードキャストするための前記少なくとも１つのリソースを示す、基地局からのメッセージを受信することをさらに備え、前記少なくとも１つのリソースの前記決定は、前記受信したメッセージに基づく、
［Ｃ２１］に記載の方法。
［Ｃ２４］
ワイヤレス通信のための装置であって、前記装置は、ユーザ機器（ＵＥ）であり、
メモリと、
前記メモリに結合される少なくとも１つのプロセッサと
を備え、前記少なくとも１つのプロセッサは、
複数のＵＥからリソースのセットのうちの第１のサブセット中で情報の第１のセットを受信すること、前記情報の第１のセットは、前記複数のＵＥにおける各ＵＥのための、前記各ＵＥのための位置と、シーケンス識別子（ＩＤ）と、リソースＩＤとを備える、と、
前記複数のＵＥから前記リソースのセットのうちの第２のサブセットのシンボル中でシーケンスのセットを受信すること、前記シーケンスのセットにおける各シーケンスは、それぞれのシーケンスＩＤに関連付けられ、前記シンボルのうちの少なくとも１つのシンボル上で受信され、前記少なくとも１つのシンボルは、それぞれリソースＩＤによって識別される、と、
前記受信されたシーケンスのセットに関連付けられたタイミング情報を決定することと、
前記リソースのセットのうちの第３のサブセット中で情報の第２のセットをブロードキャストすること、前記情報の第２のセットは、前記決定されたタイミング情報と、前記ＵＥに関連付けられた位置と、前記複数のＵＥの識別子とを備える、と
を行うように構成される、装置。
［Ｃ２５］
前記シーケンスは、Ｚａｄｏｆｆ  Ｃｈｕシーケンスであり、それぞれシーケンスＩＤは、Ｚａｄｏｆｆ  Ｃｈｕシーケンスに関連付けられたサイクリックシフトおよびルートインデックスを備える、
［Ｃ２４］に記載の装置。
［Ｃ２６］
前記シーケンスの各シーケンスは、前記少なくとも１つのシンボルの全帯域幅を占める、
［Ｃ２４］に記載の装置。
［Ｃ２７］
前記少なくとも１つのプロセッサは、前記リソースのセットのうちの前記第１、第２、および第３のサブセットを示す、基地局からのメッセージを受信することを行うようにさらに構成される、
［Ｃ２４］に記載の装置。
［Ｃ２８］
前記少なくとも１つのプロセッサは、前記リソースのセットのうちの前記第３のサブセット中で前記情報の第２のセットをブロードキャストするための少なくとも１つのリソース決定することを行うようにさらに構成される、
［Ｃ２４］に記載の装置。
［Ｃ２９］
前記決定は、ランダム選択またはエネルギーベース検出に基づく、
［Ｃ２８］に記載の装置。
［Ｃ３０］
前記少なくとも１つのプロセッサは、前記情報の第２のセットをブロードキャストするための前記少なくとも１つのリソースを示す、基地局からのメッセージを受信することを行うようにさらに構成され、前記少なくとも１つのリソースの前記決定は、前記受信したメッセージに基づく、
［Ｃ２８］に記載の装置。